(57)【特許請求の範囲】
【請求項１】
対物レンズを保持するボビンと、固定ベースに設けられたサスペンションホルダと、前記サスペンションホルダの左右両側から上下方向に間隔をおいて延びて、他端が前記ボビンに固定され前記ボビンを変位可能に支持している複数本のサスペンションワイヤと、前記ボビンに取り付けられたフォーカス方向及びトラッキング方向に変位させる駆動用コイルと、前記駆動用コイルに電流を供給中継し前記ボビンに固着された端子板と、前記端子板に配され前記駆動用コイルが係止されるコイルリード巻付け部とを備えた光ピックアップ用アクチュエータであって、前記端子板の前記コイルリード巻付け部の近傍に凹部を形成したことを特徴とする光ピックアップ用アクチュエータ。
【請求項２】
前記コイルリード巻付け部に凹凸を形成したことを特徴とする請求項１記載の光ピックアップ用アクチュエータ。
【発明の詳細な説明】
【０００１】
【発明の属する技術分野】
本発明は、ディスクにレ−ザ光を投影してディスクの記録再生を行う光学式ディスク再生装置に用いる光ピックアップ用アクチュエ−タ−に関するものである。
【０００２】
【従来の技術】
以下に従来の光ピックアップ用アクチュエ−タ−について説明する。
【０００３】
図４は従来、一般に用いられている光ピックアップ用アクチュエ−タの構成を示す斜視図である。図５は図４の要部を示す要部拡大斜視図である。図中、対物レンズ４１はボビン４２に固定されている。ボビン４２を囲むようにフォ−カス方向に駆動させるフォ−カスコイル４３が巻付けられ、ボビン４２両側のトラッキング方向に直交する面にトラッキング方向に駆動させるトラッキングコイル４４ａ，４４ｂが巻付けられている。２個の永久磁石４５ａ，４５ｂは、フォ−カスコイル４３とトラッキングコイル４４ａ，４４ｂを挟むように、固定ベ−ス４６に固着されている。ボビン４２にはフォ−カスコイル４３とトラッキングコイル４４ａ，４４ｂに電気を供給するための電流を中継する端子板４７ａ〜４７ｄが、ボビン４２両側のフォ−カス方向上下部分に固着されており、端子板４７ａ〜４７ｄは４本のサスペンションワイヤ−４８ａ〜４８ｄに半田付けにより固定され、サスペンションワイヤ４８ａ〜４８ｄの他端はサスペンションホルダ−４９に固定されたプリント基板４０に半田付けにより保持されている。
【０００４】
端子板４７ｃは４７ａの対面側に配され、端子板４７ｄは４７ｂの対面側に配されている。また、サスペンションワイヤ４８ｃは４８ａの対面側に配され、サスペンションワイヤ４８ｄは４８ｂの対面側に配されている。
【０００５】
【発明が解決しようとする課題】
しかしながら上記従来の構成に於いては、図５に示すようにサスペンションワイヤ４８ａ〜４８ｄと駆動用コイルであるフォ−カスコイル４３とトラッキングコイル４４ａ，４４ｂを中継接続する端子板４７ａ〜４７ｄの半田付け工程において、コイル巻付け部４０の半田５０がサスペンションワイヤ４８ａ〜４８ｄの配置領域に盛り付けられてしまうことがあり、後に配置されるサスペンションワイヤ４８ａ〜４８ｄに不要な機械的歪を与えるため、対物レンズ部の静的あるいは動的な平行精度に悪影響を及ぼし、この解決のために半田付けの時の半田仕様等に対する要求精度が厳しくなり、効率的な量産性を阻害するという問題点があった。
【０００６】
本発明は上記従来の問題点を解決するもので、コイル巻付け部の半田がサスペンションワイヤの配置領域に盛り付けられてしまうことがない光ピックアップ用アクチュエ−タを提供することを目的とする。
【０００７】
【課題を解決するための手段】
この目的を達成するために本発明の光ピックアップ用アクチュエータは、対物レンズを保持するボビンと、固定ベースに設けられたサスペンションホルダと、サスペンションホルダの左右両側から上下方向に間隔をおいて延びて、他端がボビンに固定されボビンを変位可能に支持している複数本のサスペンションワイヤと、ボビンに取り付けられたフォーカス方向及びトラッキング方向に変位させる駆動用コイルと、駆動用コイルに電流を供給中継しボビンに固着された端子板と、端子板に配され駆動用コイルが係止されるコイルリード巻付け部とを備えた光ピックアップ用アクチュエータであって、端子板のコイルリード巻付け部の近傍に凹部を形成した構成を有している。
【０００８】
この構成のコイルリード巻付け部の近傍に配された凹部によって、駆動用コイルをコイルリード巻き付け部に固定するための半田の半田流動性を阻止することが出来、端子板の主平面全体に半田が流れない構成となり、コイルリード巻き付け部の半田がサスペンションワイヤの配置領域に盛り付けられることを防止することが出来る。
【０００９】
【発明の実施の形態】
本発明の請求項１に記載の発明は、対物レンズを保持するボビンと、固定ベースに設けられたサスペンションホルダと、前記サスペンションホルダの左右両側から上下方向に間隔をおいて延びて、他端が前記ボビンに固定され前記ボビンを変位可能に支持している複数本のサスペンションワイヤと、前記ボビンに取り付けられたフォーカス方向及びトラッキング方向に変位させる駆動用コイルと、前記駆動用コイルに電流を供給中継し前記ボビンに固着された端子板と、前記端子板に配され前記駆動用コイルが係止されるコイルリード巻付け部とを備えた光ピックアップ用アクチュエータであって、端子板のコイルリード巻付け部の近傍に凹部を形成したものであり、端子板の凹部によって、駆動用コイルをコイルリード巻き付け部に固定するための半田の半田流動性を阻止するという作用を有する。
【００１０】
請求項２に記載の発明は、上述の光ピックアップ用アクチュエータのコイルリード巻付け部に凹凸を形成したものであり、コイルリード巻付け部の凹凸によって、コイルリード巻付け部の凹凸によって、駆動用コイルをコイルリード巻き付け部に固定するための半田の半田流動性を阻止するという作用を有する。
【００１１】
以下、本発明の実施の形態について、図１から図３を用いて説明する。
【００１２】
（実施の形態１）
図１は本発明の実施の形態１における光ピックアップ用アクチュエ−タの要部を示す斜視図である。図１は本実施の形態１に直接関係しない構成は省略して記載し、それ以外の構成は図４の構成と同一である。
【００１３】
図１（Ａ）において、１０は駆動用コイルに電流を供給中継しボビンに固着された端子板である。１２は端子板１０に配され駆動用コイルが係止されるコイルリ−ド巻付け部である。１１はコイルリ−ド巻付け部１２に形成された凹凸である。
【００１４】
ここで、図１（Ｂ）に示すように凹凸１１に駆動用コイルであるフォ−カスコイル４３とトラッキングコイル４４ａ，４４ｂが巻回され、その後、凹凸１１とフォ−カスコイル４３とトラッキングコイル４４ａ，４４ｂとを電気的に接続するため、半田１３で接続する。
【００１５】
この時、コイルリ−ド巻付け部１２の凹凸１１によって、駆動用コイルをコイルリード巻き付け部１２に固定するための半田１３の半田流動性を阻止することが出来、端子板１０の主平面全体に半田１３が流れないこととなる。従って、コイルリード巻き付け部１２の半田１３がサスペンションワイヤの配置領域に盛り付けられることを防止することが出来る。
【００１６】
（実施の形態２）
図２は本発明の実施の形態２における光ピックアップ用アクチュエ−タの要部を示す斜視図である。図２は本実施の形態２に直接関係しない構成は省略して記載し、それ以外の構成は図４の構成と同一である。
【００１７】
図２（Ａ）において、２０は駆動用コイルに電流を供給中継しボビンに固着された端子板である。２２は端子板２０に配され駆動用コイルが係止されるコイルリ−ド巻付け部である。２１は端子板２０の主平面でコイルリ−ド巻付け部２２の近傍に配された凹部である。凹部２１は端子板２０の長手方向に沿って溝が形成されている。
【００１８】
ここで、図２（Ｂ）に示すようにコイルリ−ド巻付け部２２に駆動用コイルであるフォ−カスコイル４３とトラッキングコイル４４ａ，４４ｂが巻回され、その後、コイルリ−ド巻付け部２２とフォ−カスコイル４３とトラッキングコイル４４ａ，４４ｂとを電気的に接続するため、半田２３で接続する。
【００１９】
この時、端子板２０の主平面でコイルリ−ド巻付け部２２の近傍に配された凹部２１によって、駆動用コイルをコイルリード巻き付け部２２に固定するための半田２３の半田流動性を阻止することが出来、端子板２０の主平面全体に半田２３が流れないこととなる。従って、コイルリード巻き付け部２２の半田２３がサスペンションワイヤの配置領域に盛り付けられることを防止することが出来る。
【００２０】
（実施の形態３）
図３は本発明の実施の形態３における光ピックアップ用アクチュエ−タの要部を示す斜視図である。図３は本実施の形態３に直接関係しない構成は省略して記載し、それ以外の構成は図４の構成と同一である。
【００２１】
図３（Ａ）において、３０は駆動用コイルに電流を供給中継しボビンに固着された端子板である。３２は端子板３０に配され駆動用コイルが係止されるコイルリ−ド巻付け部である。３１は端子板３０の主平面でコイルリ−ド巻付け部３２の近傍に配された凹部である。凹部３１は端子板３０の長手方向に沿って溝が形成されている。３３はコイルリ−ド巻付け部３２に形成された凹凸である。
【００２２】
ここで、図３（Ｂ）に示すようにコイルリ−ド巻付け部３２の凹凸３３に駆動用コイルであるフォ−カスコイル４３とトラッキングコイル４４ａ，４４ｂが巻回され、その後、コイルリ−ド巻付け部２２とフォ−カスコイル４３とトラッキングコイル４４ａ，４４ｂとを電気的に接続するため、半田３４で接続する。
【００２３】
この時、コイルリ−ド巻付け部３２の凹凸３３と、端子板３０の主平面でコイルリ−ド巻付け部３２の近傍に配された凹部３１によって、駆動用コイルをコイルリード巻き付け部３２に固定するための半田３４の半田流動性を阻止することが出来、端子板３０の主平面全体に半田３４が流れないこととなる。従って、コイルリード巻き付け部３２の半田３４がサスペンションワイヤの配置領域に盛り付けられることを防止することが出来る。
【００２４】
【発明の効果】
以上のように本発明は、駆動用コイルをコイルリード巻き付け部に固定するための半田の半田流動性を阻止することが出来、追従性能の均質性及び効率的な量産性を可能にするという優れた効果が得られる。
【図面の簡単な説明】
【図１】本発明の実施の形態１における光ピックアップ用アクチュエ−タの要部を示す斜視図
【図２】本発明の実施の形態２における光ピックアップ用アクチュエ−タの要部を示す斜視図
【図３】本発明の実施の形態３における光ピックアップ用アクチュエ−タの要部を示す斜視図
【図４】従来の光ピックアップ用アクチュエ−タの要部を示す斜視図
【図５】従来の光ピックアップ用アクチュエ−タの要部を示す斜視図
【符号の説明】
１０  端子板
１１  凹凸
１２  コイルリ−ド巻付け部
２０  端子板
２１  凹部
２２  コイルリ−ド巻付け部
３０  端子板
３１  凹部
３２  コイルリ−ド巻付け部
３３  凹凸
【図１】
0003610818.tif 000002
【図２】
0003610818.tif 000003
【図３】
0003610818.tif 000004
【図４】
0003610818.tif 000005
【図５】
0003610818.tif 000006